(57)【特許請求の範囲】
【請求項１】
高周波信号の波長λの２分の１以下の間隔で配置した平行平板導体間に前記高周波信号を伝送する誘電体線路を介装して成る非放射性誘電体線路において、前記誘電体線路は、複数の誘電体線路部分の端面同士を対向させて構成されているとともに、前記誘電体線路部分を設置する平行平板導体の部位に誘電体線路部分の幅よりも幅広な溝で誘電体線路部分全体を嵌め込むことができるような溝を形成し、その溝内で誘電体線路部分の設置位置を調整することによって、前記誘電体線路部分が隣接するものに対して前記高周波信号の伝送方向に直交しかつ前記平行平板導体の内面に平行な方向にλ／８以下の距離を移動可能に設置されていることを特徴とする非放射性誘電体線路。
【請求項２】
ミリ波信号の波長λの２分の１以下の間隔で配置した平行平板導体間に、
高周波ダイオード発振器が一端部に付設され、前記高周波ダイオード発振器から出力されたミリ波信号を伝搬させる第１の誘電体線路と、
バイアス電圧印加方向が前記ミリ波信号の電界方向に合致するように配置され、前記バイアス電圧を周期的に制御することによって前記ミリ波信号を周波数変調した送信用のミリ波信号として出力する可変容量ダイオードと、
前記第１の誘電体線路に、一端側が電磁結合するように近接配置されるかまたは一端が接合されて、前記送信用のミリ波信号の一部をミキサー側へ伝搬させる第２の誘電体線路と、
前記平行平板導体に平行に配設されたフェライト板の周縁部に所定間隔で配置され、かつそれぞれ前記ミリ波信号の入出力端とされた第１の接続部，第２の接続部および第３の接続部を有し、一つの接続部から入力された前記ミリ波信号を前記フェライト板の面内で時計回りまたは反時計回りに隣接する他の接続部より出力するサーキュレータであって、前記第１の誘電体線路の前記ミリ波信号の出力端に前記第１の接続部が接合されるサーキュレータと、
該サーキュレータの前記第２の接続部に接合され、前記送信用のミリ波信号を伝搬させるとともに先端部に送受信アンテナを有する第３の誘電体線路と、
前記送受信アンテナで受信され前記第３の誘電体線路を伝搬して前記サーキュレータの前記第３の接続部より出力した受信波をミキサー側へ伝搬させる第４の誘電体線路と、
前記第２の誘電体線路の中途と前記第４の誘電体線路の中途とを近接させて電磁結合させるかまたは接合させて成り、前記送信用のミリ波信号の一部と前記受信波とを混合して中間周波信号を発生するミキサー部と、を設けたミリ波送受信器において、
前記第１〜第４の誘電体線路のうち少なくとも一つが、複数の誘電体線路部分からなり、前記平行平板導体とともに請求項１記載の非放射性誘電体線路を構成することを特徴とするミリ波送受信器。
【請求項３】
ミリ波信号の波長λの２分の１以下の間隔で配置した平行平板導体間に、
高周波ダイオード発振器が一端部に付設され、前記高周波ダイオード発振器から出力されたミリ波信号を伝搬させる第１の誘電体線路と、
バイアス電圧印加方向が前記ミリ波信号の電界方向に合致するように配置され、前記バイアス電圧を周期的に制御することによって前記ミリ波信号を周波数変調した送信用のミリ波信号として出力する可変容量ダイオードと、
前記第１の誘電体線路に、一端側が電磁結合するように近接配置されるかまたは一端が接合されて、前記送信用のミリ波信号の一部をミキサー側へ伝搬させる第２の誘電体線路と、
前記平行平板導体に平行に配設されたフェライト板の周縁部に所定間隔で配置され、かつそれぞれ前記ミリ波信号の入出力端とされた第１の接続部，第２の接続部および第３の接続部を有し、一つの接続部から入力された前記ミリ波信号を前記フェライト板の面内で時計回りまたは反時計回りに隣接する他の接続部より出力するサーキュレータであって、前記第１の誘電体線路の前記ミリ波信号の出力端に前記第１の接続部が接続されるサーキュレータと、
該サーキュレータの前記第２の接続部に接続され、前記送信用のミリ波信号を伝搬させるとともに先端部に送信アンテナを有する第３の誘電体線路と、
先端部に受信アンテナ、他端部にミキサーが各々設けられた第４の誘電体線路と、
前記サーキュレータの前記第３の接続部に接続され、前記送信アンテナで受信混入したミリ波信号を伝搬させるとともに先端部に設けられた無反射終端部で前記受信混入したミリ波信号を減衰させる第５の誘電体線路と、
前記第２の誘電体線路の中途と前記第４の誘電体線路の中途とを近接させて電磁結合させるかまたは接合させて成り、前記送信用のミリ波信号の一部と受信波とを混合して中間周波信号を発生するミキサー部と、を設けたミリ波送受信器において、
前記第１〜５の誘電体線路のうち少なくとも一つが、複数の誘電体線路部分からなり、前記平行平板導体とともに請求項１記載の非放射性誘電体線路を構成することを特徴とするミリ波送受信器。
【発明の詳細な説明】
【０００１】
【発明の属する技術分野】
本発明は、例えばミリ波等の高周波帯域で用いられる非放射性誘電体線路であって、ミリ波集積回路等に好適に使用されるものに関するものであり、また非放射性誘電体線路型のミリ波集積回路，ミリ波レーダーモジュール等のミリ波送受信器に関するものである。
【０００２】
【従来の技術】
従来の非放射性誘電体線路（Nonradiative  Dielectric  Waveguideで、以下、ＮＲＤガイドという）Ｓ１の構成を図２に示す。図２のＮＲＤガイドＳ１は、使用周波数において空気中を伝搬する電磁波（高周波信号）の波長λに対して、間隔ｄがλ／２以下である一対の平行平板導体１１，１３の間に誘電体線路１２を介装することにより、その誘電体線路１２に沿って電磁波が伝搬でき、放射波は平行平板導体１１，１３の遮断効果によって抑制されるという動作原理に基づいている。
【０００３】
このＮＲＤガイドＳ１の電磁波伝搬モードとしては、ＬＳＭモード，ＬＳＥモードの２種類があることが知られているが、損失の小さいＬＳＭモードが一般的に使用されている。また、ＮＲＤガイドの他のタイプとして、図３のような曲線状の誘電体線路１４を設けたＮＲＤガイドＳ２もあり、これにより電磁波を容易に曲線的に伝搬させることができ、ミリ波集積回路の小型化や自由度の高い回路設計ができるという利点を持っている。
【０００４】
なお、図２および図３において、上側の平行平板導体１３は内部を透視するように一部を切り欠くか、破線で示した。また、１１は下側の平行平板導体である。
【０００５】
また、従来、ＮＲＤガイドＳ１，Ｓ２の誘電体線路１２，１４の材料としては、手軽に加工できるという簡便さと低損失という点で、テフロン（登録商標），ポリスチレン等の比誘電率２〜４の樹脂材料が使われてきた。
【０００６】
【発明が解決しようとする課題】
しかしながら、従来用いられてきたテフロン，ポリスチレン等の比誘電率２〜４の誘電体からなる誘電体線路１２，１４でＮＲＤガイドＳ１，Ｓ２を構成すると、曲線部での曲げ損失や、誘電体線路１２，１４の接合部での損失が大きいという欠点があった。このため、急峻な曲線部を設けることができなかった。また、緩やかな曲線部とした場合にも、その曲線部の曲率半径を精密に決定する必要があった。さらに、小さい曲げ損失でもって使用可能な周波数範囲が、例えば６０ＧＨｚ付近では１〜２ＧＨｚと十分ではなかった。これは、比誘電率が２〜４の誘電体を用いてＮＲＤガイドＳ１，Ｓ２を構成した場合、上記ＬＳＭモードとＬＳＥモードの分散曲線が非常に近いため、ＬＳＭモードの電磁波の一部がＬＳＥモードに変換されてしまい、損失が増大するためであった。
【０００７】
また、誘電体線路１２，１４の材料として、アルミナ（Ａｌ２Ｏ３）セラミックス等の比誘電率が１０程度のセラミックスを用いたものもあるが、５０ＧＨｚ以上の高周波で使用するためには、誘電体線路１２，１４の幅を非常に細くしなければならず、加工性および実装上実用的ではない。
【０００８】
また、セラミックス等の無機化合物からなる誘電体線路１２，１４を用いたＮＲＤガイドにより高周波デバイス，高周波回路モジュールを作製した場合、誘電体線路１２，１４に急峻な曲線部を設けることはできるが、複数の直線部と曲線部から成るような複雑形状を作製することは困難であった。さらに、平行平板導体１１，１３と誘電体線路１２，１４との熱膨張係数の差、さらには衝撃により誘電体線路１２，１４に破損が生じる等の問題があった。
【０００９】
また、従来用いられてきたテフロン等の樹脂材料からなる誘電体線路でＮＲＤガイドを構成すると、誘電体線路１２，１４と平行平板導体１１，１３の接着が難しく、振動や熱膨張差によって誘電体線路１２，１４が位置ずれを起こし、正常に機能しなくなるという問題があった。
【００１０】
従って、本発明は上記事情に鑑みて完成されたものであり、その目的は、ＬＳＭモードの電磁波のＬＳＥモードへの変換が少なく、従って誘電体線路に小さい曲率半径で使用周波数範囲が広い急峻な曲線部を作製することができ、その結果、ミリ波集積回路等を小型化でき、信頼性が高く、また高周波信号の損失が小さい高性能なＮＲＤガイドを提供することである。また、このようなＮＲＤガイドを用いることにより、高周波信号の伝送損失が小さく、小型化されたミリ波送受信器を提供することである。
【００１１】
【課題を解決するための手段】
本発明の非放射性誘電体線路は、高周波信号の波長λの２分の１以下の間隔で配置した平行平板導体間に前記高周波信号を伝送する誘電体線路を介装して成る非放射性誘電体線路において、前記誘電体線路は、複数の誘電体線路部分の端面同士を対向させて構成されているとともに、前記誘電体線路部分を設置する平行平板導体の部位に誘電体線路部分の幅よりも幅広な溝で誘電体線路部分全体を嵌め込むことができるような溝を形成し、その溝内で誘電体線路部分の設置位置を調整することによって、前記誘電体線路部分が隣接するものに対してその前記端面同士が前記高周波信号の伝送方向に直交し、かつ前記平行平板導体の内面に平行な方向にλ／８以下の距離を移動可能に設置されていることを特徴とする。
【００１２】
本発明のＮＲＤガイドは、複数の誘電体線路部分を擬似的に一本の誘電体線路となるように連続的に設置することで、直線部と曲線部からなる複雑形状の誘電体線路を容易に作製することができる。このようにして、より自由度と信頼性が高く、小型で安価で損失が小さい高性能なＮＲＤガイドを構成することができる。その結果、ミリ波集積回路等を小型化でき、信頼性が高く、また高周波信号の損失が小さい高性能なＮＲＤガイドとなる。
【００１３】
また、上記のような誘電体線路部分を移動させる手段によって、誘電体線路部分が隣接するものに対して高周波信号の伝送方向に直交し、かつ平行平板導体の内面に平行な方向にλ／８以下の距離を移動可能に設置されていることにより、高周波信号の伝送特性を維持した状態で、誘電体線路部分と電磁結合している、高周波ダイオード等の他の部品や他の誘電体線路との間隔を制御できる。これにより、高周波ダイオードの発振周波数を制御したり、他の誘電体線路とのカップリングの度合い等を制御できる。
【００１４】
本発明のミリ波送受信器は、ミリ波信号の波長λの２分の１以下の間隔で配置した平行平板導体間に、高周波ダイオード発振器が一端部に付設され、前記高周波ダイオード発振器から出力されたミリ波信号を伝搬させる第１の誘電体線路と、バイアス電圧印加方向が前記ミリ波信号の電界方向に合致するように配置され、前記バイアス電圧を周期的に制御することによって前記ミリ波信号を周波数変調した送信用のミリ波信号として出力する可変容量ダイオードと、前記第１の誘電体線路に、一端側が電磁結合するように近接配置されるかまたは一端が接合されて、前記送信用のミリ波信号の一部をミキサー側へ伝搬させる第２の誘電体線路と、前記平行平板導体に平行に配設されたフェライト板の周縁部に所定間隔で配置され、かつそれぞれ前記ミリ波信号の入出力端とされた第１の接続部，第２の接続部および第３の接続部を有し、一つの接続部から入力された前記ミリ波信号を前記フェライト板の面内で時計回りまたは反時計回りに隣接する他の接続部より出力するサーキュレータであって、前記第１の誘電体線路の前記ミリ波信号の出力端に前記第１の接続部が接合されるサーキュレータと、該サーキュレータの前記第２の接続部に接合され、前記送信用のミリ波信号を伝搬させるとともに先端部に送受信アンテナを有する第３の誘電体線路と、前記送受信アンテナで受信され前記第３の誘電体線路を伝搬して前記サーキュレータの前記第３の接続部より出力した受信波をミキサー側へ伝搬させる第４の誘電体線路と、前記第２の誘電体線路の中途と前記第４の誘電体線路の中途とを近接させて電磁結合させるかまたは接合させて成り、前記送信用のミリ波信号の一部と前記受信波とを混合して中間周波信号を発生するミキサー部と、を設けたミリ波送受信器において、前記第１〜第４の誘電体線路のうち少なくとも一つが、複数の誘電体線路部分からなり、前記平行平板導体とともに本発明の非放射性誘電体線路を構成することを特徴とする。
【００１５】
本発明のミリ波送受信器は、上記の構成により、信頼性が高く、高性能かつ小型のミリ波送受信器とすることができる。また、高周波ダイオードの発振周波数を制御したり、ミリ波信号の分岐強度や合波混合の度合い等を制御でき、ミリ波送受信器の伝送特性を最も良好な状態に調整したり、異なる周波数帯域で使用可能なように調整することができる。
【００１６】
また本発明のミリ波送受信器は、ミリ波信号の波長λの２分の１以下の間隔で配置した平行平板導体間に、高周波ダイオード発振器が一端部に付設され、前記高周波ダイオード発振器から出力されたミリ波信号を伝搬させる第１の誘電体線路と、バイアス電圧印加方向が前記ミリ波信号の電界方向に合致するように配置され、前記バイアス電圧を周期的に制御することによって前記ミリ波信号を周波数変調した送信用のミリ波信号として出力する可変容量ダイオードと、前記第１の誘電体線路に、一端側が電磁結合するように近接配置されるかまたは一端が接合されて、前記送信用のミリ波信号の一部をミキサー側へ伝搬させる第２の誘電体線路と、前記平行平板導体に平行に配設されたフェライト板の周縁部に所定間隔で配置され、かつそれぞれ前記ミリ波信号の入出力端とされた第１の接続部，第２の接続部および第３の接続部を有し、一つの接続部から入力された前記ミリ波信号を前記フェライト板の面内で時計回りまたは反時計回りに隣接する他の接続部より出力するサーキュレータであって、前記第１の誘電体線路の前記ミリ波信号の出力端に前記第１の接続部が接続されるサーキュレータと、該サーキュレータの前記第２の接続部に接続され、前記送信用のミリ波信号を伝搬させるとともに先端部に送信アンテナを有する第３の誘電体線路と、先端部に受信アンテナ、他端部にミキサーが各々設けられた第４の誘電体線路と、前記サーキュレータの前記第３の接続部に接続され、前記送信アンテナで受信混入したミリ波信号を伝搬させるとともに先端部に設けられた無反射終端部で前記受信混入したミリ波信号を減衰させる第５の誘電体線路と、前記第２の誘電体線路の中途と前記第４の誘電体線路の中途とを近接させて電磁結合させるかまたは接合させて成り、前記送信用のミリ波信号の一部と受信波とを混合して中間周波信号を発生するミキサー部と、を設けたミリ波送受信器において、前記第１〜５の誘電体線路のうち少なくとも一つが、複数の誘電体線路部分からなり、前記平行平板導体とともに請求項１記載の非放射性誘電体線路を構成することを特徴とする。
【００１７】
本発明のミリ波送受信器は、上記の構成により、信頼性が高く、高性能かつ小型のミリ波送受信器とすることができる。また、高周波ダイオードの発振周波数を制御したり、ミリ波信号の分岐強度や合波混合の度合い等を制御でき、ミリ波送受信器の伝送特性を最も良好な状態に調整したり、異なる周波数帯域で使用可能なように調整することができる。さらに、送信用のミリ波信号がサーキュレータを介してミキサーへ混入することがなく、その結果、受信信号のノイズが低減し、ミリ波レーダーに適用した場合に探知距離が増大し、ミリ波信号の伝送特性に優れたものとなる。
【００１８】
【発明の実施の形態】
本発明のＮＲＤガイドについて以下に詳細に説明する。図１は本発明のＮＲＤガイドの斜視図であり、同図において１，３は伝搬させる高周波信号の波長λの２分の１以下の間隔で配置した下側、上側の平行平板導体、２は誘電体線路であり、複数の誘電体線路部分２ａ，２ｂの端面同士を対向させて構成されているとともに、誘電体線路部分２ａ，２ｂが隣接する誘電体線路部分２ａ，２ｂに対して高周波信号の伝送方向に直交し、かつ平行平板導体１，３の内面に平行な方向にλ／８以下の距離Ｌを移動可能に設置されている。なお、距離Ｌが０の場合は、誘電体線路部分２ａ，２ｂの対向するそれらの端面の中心点が一致した状態に相当する。
【００２０】
誘電体線路部分２ａ，２ｂを移動させる手段としては、誘電体線路部分２ａ，２ｂを設置する平行平板導体１，３の部位に、誘電体線路部分２ａ，２ｂの幅よりも最大λ／４程度幅広な溝で、誘電体線路部分２ａ，２ｂ全体を嵌め込むことができるような溝を形成し、その溝内で誘電体線路部分２ａ，２ｂの設置位置を調整する構成とし得る。この場合、溝の幅を誘電体線路部分２ａ，２ｂの幅よりも最大λ／４程度幅広とするのは、誘電体線路部分２ａ，２ｂの高周波信号の伝送方向に直交し、かつ平行平板導体１，３の内面に平行な方向は左右の２方向あり、１方向でλ／８とし、その反対方向にもλ／８移動可能とすれば、λ／４となるからである。また、最小でλ／１６としてもよく、その場合は、一方の誘電体線路部分２ａ，２ｂを左右のいずれかの方向にλ／１６移動させ、他方の誘電体線路部分２ａ，２ｂを反対方向にλ／１６移動させればよい。
【００２１】
なお、距離Ｌの移動後の誘電体線路部分２ａ，２ｂは、接着剤等で固定することもできる。また、誘電体線路部分２ａ，２ｂの移動については、上記のような移動機構を使用せずに手動で調整してもよい。その場合、平行平板導体１，３の内面に、誘電体線路部分２ａ，２ｂの位置調整のためのスケール目盛を、微小な深さの溝で刻んだり、印刷法等で形成することもできる。
【００２２】
これらの誘電体線路部分２ａ，２ｂの端面は高周波信号の伝送方向に略垂直であればよく、完全な垂直でなくともよい。また、その端面は平面状でなくともよく、ある程度の曲面状とされていても構わない。さらには、端面同士の間隔が波長λの１／８以下であれば直接接していなくともよい。
【００２３】
なお、高周波信号の波長λは、使用周波数における高周波信号の空気中での波長に相当する。
【００２４】
本発明のＮＲＤガイドＳ用の平行平板導体１，３は、高い電気伝導度および加工性等の点で、Ｃｕ，Ａｌ，Ｆｅ，ＳＵＳ（ステンレススチール），Ａｇ，Ａｕ，Ｐｔ等からなり、鍛造，鋳造，ダイカスト，研削等で加工された金属板、あるいはセラミックス，樹脂等から成る絶縁板の表面にこれらの導体層を形成したものでもよい。
【００２５】
本発明のＮＲＤガイドＳの誘電体線路２は、使用周波数６０ＧＨｚでのＱ値が１０００以上である、Ｍｇ，Ａｌ，Ｓｉの複合酸化物を主成分としたセラミックスを用いるのがよい。このセラミックスは比誘電率が４．５〜８程度である。比誘電率をこの範囲に限定したのは、比誘電率が４．５未満の場合には、上記したようにＬＳＭモードの電磁波のＬＳＥモードへの変換が大きくなるからである。また、比誘電率が８を超えると、５０ＧＨｚ以上の周波数で使用する際に誘電体線路２の幅を非常に細くしなければならず、加工が困難になって形状精度が劣化し、強度の点でも問題が生じる。
【００２６】
また本発明において、一連の誘電体線路２を構成する誘電体線路部分２ａ，２ｂのズレの距離Ｌはλ／８以下とする。λ／８よりも大きくすると、高周波信号の伝送損失が大きくなるからである。誘電体線路部分２ａ，２ｂの個数が増加したり、さらなる低伝送損失を求める場合には、距離Ｌをλ／８以下のより小さい値にすることが好ましい。距離Ｌをほとんど０にすれば、高周波信号の伝送損失が最も小さくなる。
【００２７】
また、使用周波数６０ＧＨｚでのＱ値が１０００以上である、Ｍｇ，Ａｌ，Ｓｉの複合酸化物を主成分としたセラミックスの場合、これは、近年におけるマイクロ波帯域，ミリ波帯に含まれる６０ＧＨｚで使用される誘電体線路として、十分な低損失性を実現するものである。
【００２８】
そして、誘電体線路２の組成および組成比は、モル比組成式をｘＭｇＯ・ｙＡｌ２Ｏ３・ｚＳｉＯ２と表したときに、ｘ＝１０〜４０モル％，ｙ＝１０〜４０モル％，ｚ＝２０〜８０モル％，ｘ＋ｙ＋ｚ＝１００モル％を満足する、Ｍｇ，Ａｌ，Ｓｉの複合酸化物を主成分とするものがよい。
【００２９】
本発明のＮＲＤガイドＳの誘電体線路２の材料であるセラミックス（誘電体磁器組成物）の主成分の組成比を上記範囲に限定したのは、次の理由による。即ち、ｘを１０〜４０モル％としたのは、１０モル％未満では良好な焼結体が得られず、また４０モル％を超えると比誘電率が大きくなるからである。特にｘは、６０ＧＨｚでのＱ値を２０００以上とするという点から１５〜３５モル％が好ましい。
【００３０】
また、ｙを１０〜４０モル％としたのは、ｙが１０モル％よりも小さい場合には良好な焼結体が得られず、４０モル％を超えると比誘電率が大きくなるからである。ｙは、６０ＧＨｚでのＱ値を２０００以上とするという点から１７〜３５モル％が好ましい。
【００３１】
ｚを２０〜８０モル％としたのは、ｚが２０モル％よりも小さい場合には比誘電率が大きくなり、８０モル％を超えると良好な焼結体が得られずＱ値が低下するからである。ｚは、６０ＧＨｚでのＱ値を２０００以上とするという点から３０〜６５モル％が好ましい。
【００３２】
これらＭｇＯ，Ａｌ２Ｏ３，ＳｉＯ２のモル％を示すｘ，ｙ，ｚは、ＥＰＭＡ（Ｅｌｅｃｔｒｏｎ  Ｐｒｏｂｅ  Ｍｉｃｒｏ  Ａｎａｌｙｓｉｓ）法，ＸＲＤ（Ｘ−ｒａｙ  Ｄｉｆｆｒａｃｔｉｏｎ：Ｘ線回折）法等の分析方法で特定できる。
【００３３】
また、本発明のＮＲＤガイドＳの誘電体線路２用のセラミックス（誘電体磁器組成物）は、主結晶相がコーディエライト（２ＭｇＯ・２Ａｌ２Ｏ３・５ＳｉＯ２）であり、他の結晶相としてムライト（３Ａｌ２Ｏ３・２ＳｉＯ２），スピネル（ＭｇＯ・Ａｌ２Ｏ３），プロトエンスタタイト｛メタ珪酸マグネシウム（ＭｇＯ・ＳｉＯ２）を主成分とするステアタイトの一種｝，クリノエンスタタイト｛メタ珪酸マグネシウム（ＭｇＯ・ＳｉＯ２）を主成分とするステアタイトの一種｝，フォルステライト（２ＭｇＯ・ＳｉＯ２），クリストバライト｛珪酸（ＳｉＯ2）の一種｝，トリジマイト｛珪酸（ＳｉＯ２）の一種｝，サファリン（Ｍｇ，Ａｌの珪酸塩の一種）等が析出する場合があるが、組成によってその析出相が異なる。なお、本発明の誘電体磁器組成物ではコーディエライトのみからなる結晶相であってもよい。
【００３４】
本発明のＮＲＤガイドＳの誘電体線路２用の誘電体磁器組成物は、以下のようにして製造する。原料粉末として、例えばＭｇＣＯ３粉末，Ａｌ２Ｏ３粉末，ＳｉＯ２粉末を用い、これらを所定割合で秤量し、湿式混合した後乾燥し、この混合物を大気中において１１００〜１３００℃で仮焼した後、粉砕し粉末状とする。得られた粉末に適量の樹脂バインダを加えて成形し、この成形体を大気中１３００〜１４５０℃で焼成することにより得られる。
【００３５】
原料粉末中に含まれるＭｇ，Ａｌ，Ｓｉの元素から成る原料粉末は、それぞれ酸化物，炭酸塩，酢酸塩等の無機化合物、もしくは有機金属等の有機化合物のいずれであってもよく、焼成により酸化物となるものであればよい。
【００３６】
なお、本発明のＮＲＤガイドＳの誘電体線路２の誘電体磁器組成物の主成分は、Ｍｇ，Ａｌ，Ｓｉの複合酸化物を主成分とし、６０ＧＨｚでのＱ値を１０００以上であるという特性を損なわない範囲で、上記元素以外に、粉砕ボールや原料粉末の不純物が混入したりしてもよく、焼結温度範囲の制御、機械的特性向上を目的に他の成分を含有させてもよい。例えば、希土類元素化合物、Ｂａ，Ｓｒ，Ｃａ，Ｎｉ，Ｃｏ，Ｉｎ，Ｇａ，Ｔｉ等の酸化物、ならびに窒化ケイ素等の窒化物などの非酸化物である。これらは単独または複数種が含まれていてもよい。
【００３７】
本発明でいう高周波帯域は、数１０〜数１００ＧＨｚ帯域のマイクロ波帯域およびミリ波帯域に相当し、例えば３０ＧＨｚ以上、特に５０ＧＨｚ以上、更には７０ＧＨｚ以上の高周波帯域が好適である。
【００３８】
さらに、誘電体線路２のその他の材料として、テフロン，ポリスチレン，ガラスエポキシ樹脂等の樹脂系のもの、アルミナセラミックス，ガラスセラミックス，フォルステライトセラミックス等のものでもよいが、誘電特性、加工性、強度、小型化、信頼性等の点でコーディエライトセラミックスが好ましい。
【００３９】
本発明のＮＲＤガイドＳは、無線ＬＡＮ，自動車のミリ波レーダ等に使用されるものであり、例えば自動車の周囲の障害物および他の自動車に対しミリ波を照射し、反射波を元のミリ波と合成して中間周波信号を得て、この中間周波信号を分析することにより障害物及び他の自動車までの距離、それらの移動速度等が測定できる。
【００４０】
かくして、本発明によれば、信頼性が高く、高性能で小型なＮＲＤガイドを構成することができる。また、高周波信号の伝送特性を維持した状態で、誘電体線路部分と電磁結合している、高周波ダイオード等の他の部品や他の誘電体線路との間隔を制御できる。これにより、高周波ダイオードの発振周波数を制御したり、他の誘電体線路とのカップリングの度合い等を制御できる。また、好ましくは、従来のアルミナセラミックス等よりも低比誘電率のセラミックスからなる誘電体線路を用いているため、ＬＳＭモードの電磁波のＬＳＥモードへの変換を少なくでき、高周波信号の損失が抑えられる。
【００４１】
本発明のＮＲＤガイドを用いたミリ波送受信器について、以下に説明する。図４，図５は本発明のミリ波送受信器としてのミリ波レーダーを示すものであり、図４は送信アンテナと受信アンテナが一体化されたものの平面図、図５は送信アンテナと受信アンテナが独立したものの平面図である。
【００４２】
図４において、５１は一方の平行平板導体（他方は省略する）、５２は第１の誘電体線路５３の一端に設けられた、高周波ダイオード発振器を有する電圧制御型のミリ波信号発振部（電圧制御発振部）であり、バイアス電圧印加方向が高周波信号の電界方向に合致するように、第１の誘電体線路５３の高周波ダイオード近傍に配置された可変容量ダイオードのバイアス電圧を周期的に制御して、三角波，正弦波等とすることにより、周波数変調した送信用のミリ波信号として出力する。
【００４３】
５３は、高周波ダイオード発振器が一端部に付設され、高周波ダイオード発振器から出力されたミリ波信号が変調された送信用のミリ波信号を伝搬させる第１の誘電体線路、５４は、第１，第３，第４の誘電体線路５３，５５，５７にそれぞれ結合される第１，第２，第３の接続部５４ａ，５４ｂ，５４ｃを有する、フェライト円板等から成るサーキュレータ、５５は、サーキュレータ５４の第２の接続部５４ｂに接続され、ミリ波信号を伝搬させるとともに先端部に送受信アンテナ５６を有する第３の誘電体線路、５６は、第３の誘電体線路５５の先端をテーパー状等とすることにより構成された送受信アンテナである。
【００４４】
なお、送受信アンテナ５６は、平行平板導体５１に形成された貫通孔を通して高周波信号を入出力させ、平行平板導体５１の外面に貫通孔に接続された金属導波管を介して設置されたホーンアンテナ等であってもよい。
【００４５】
また５７は、送受信アンテナ５６で受信され第３の誘電体線路５５を伝搬してサーキュレータ５４の第３の接続部５４ｃより出力した受信波をミキサー５９側へ伝搬させる第４の誘電体線路、５８は、第１の誘電体線路５３に一端側が電磁結合するように近接配置されて、送信用のミリ波信号の一部をミキサー５９側へ伝搬させる第２の誘電体線路、５８ａは、第２の誘電体線路５８のミキサー５９と反対側の一端部に設けられた無反射終端部（ターミネータ）である。また、図中Ｍ１は、第２の誘電体線路５８の中途と第４の誘電体線路５７の中途とを近接させて電磁結合させることにより、送信用のミリ波信号の一部と受信波を混合させて中間周波信号を発生させるミキサー部である。
【００４６】
本発明のミリ波送受信器のサーキュレータ５４は、平行平板導体５１，５１間に平行に配設された一対のフェライト円板の周縁部に所定間隔、例えばフェライト円板の中心点に関して角度で１２０°間隔で配置され、かつそれぞれミリ波信号の入出力端とされた第１の接続部５４ａ，第２の接続部５４ｂおよび第３の接続部５４ｃを有し、一つの接続部から入力されたミリ波信号をフェライト円板の面内で時計回りまたは反時計回りに隣接する他の接続部より出力するものである。また、平行平板導体５１の外側主面のフェライト円板に対向する部位には、フェライト円板を伝搬する電磁波の波面を回転させるための磁石が、磁力線がフェライト円板に対し略垂直方向（略上下方向）に通過するように設けられる。なお、このフェライト板は円板状のものに限らず、多角形状等のものでもよい。
【００４７】
また、本発明のミリ波送受信器の他の実施形態として、送信アンテナと受信アンテナを独立させた図５のタイプがある。同図において、６１は一方の平行平板導体（他方は省略する）、６２は第１の誘電体線路６３の一端に設けられた、高周波ダイオード発振器を有する電圧制御型のミリ波信号発振部であり、バイアス電圧印加方向が高周波信号の電界方向に合致するように第１の誘電体線路６３の高周波ダイオード近傍に配置された可変容量ダイオードのバイアス電圧を周期的に制御して、三角波，正弦波等とすることにより、周波数変調した送信用のミリ波信号として出力する。
【００４８】
６３は、高周波ダイオード発振器が一端部に付設され、高周波ダイオード発振器から出力されたミリ波信号が変調された送信用のミリ波信号を伝搬させる第１の誘電体線路、６４は、第１，第３，第５の誘電体線路６３，６５，６７にそれぞれ接続される第１，第２，第３の接続部（図３と同様であり図示せず）を有する、フェライト円板等から成るサーキュレータ、６５は、サーキュレータ６４の第２の接続部に接続され、ミリ波信号を伝搬させるとともに先端部に送信アンテナ６６を有する第３の誘電体線路、６６は、第３の誘電体線路６５の先端をテーパー状等とすることにより構成された送信アンテナ、６７は、サーキュレータ６４の第３の接続部に接続され、送信用のミリ波信号を減衰させる無反射終端部６７ａが先端に設けられた第５の誘電体線路である。
【００４９】
また６８は、第１の誘電体線路６３に一端側が電磁結合するように近接配置されて、送信用のミリ波信号の一部をミキサー７１側へ伝搬させる第２の誘電体線路、６８ａは、第２の誘電体線路６８のミキサー７１と反対側の一端部に設けられた無反射終端部、６９は、受信アンテナ７０で受信された受信波をミキサー７１側へ伝搬させる第４の誘電体線路である。また、図中Ｍ２は、第２の誘電体線路６８の中途と第４の誘電体線路６９の中途とを近接させて電磁結合させることにより、送信用のミリ波信号の一部と受信波とを混合させて中間周波信号を発生させるミキサー部である。
【００５０】
なお、送信アンテナ６６および受信アンテナ７０は、平行平板導体６１に形成された貫通孔を通して高周波信号を入力または出力させ、平行平板導体６１の外面に貫通孔に接続された金属導波管を介して設置されたホーンアンテナ等であってもよい。
【００５１】
本発明のミリ波送受信器では、図４において、第１の誘電体線路５３に第２の誘電体線路５８の一端側を近接配置するかまたは一端部を接合するが、接合する場合には、接合部において、第１の誘電体線路５３を直線状、第２の誘電体線路５８を円弧状となし、その円弧状部の曲率半径ｒを高周波信号の波長λ以上とする。これにより、高周波信号を損失を小さくして均等の出力で分岐させ得る。また、接合部において、第２の誘電体線路５８を直線状、第１の誘電体線路５３を円弧状となし、その円弧状部の曲率半径ｒを高周波信号の波長λ以上としてもよく、この場合も上記と同様の効果が得られる。
【００５２】
また、ミキサー５９部において、第２の誘電体線路５８と第４の誘電体線路５７とを接合することもできる。この場合は、上記と同様に、これらの誘電体線路５８，５７のいずれか一方の接合部を円弧状となし、その円弧状部の曲率半径ｒを高周波信号の波長λ以上とするのがよい。また、第２の誘電体線路５８と第４の誘電体線路５７とを電磁結合するように近接配置する場合は、その近接部において、第２の誘電体線路５８と第４の誘電体線路５７との近接部の少なくとも一方を円弧状とすることにより、近接配置の構成とすることができる。
【００５３】
また好ましくは、上記の接合部の曲率半径ｒは３λ以下がよく、３λを超えると接合構造が大きくなり小型化のメリットが得られない。接合部の曲率半径ｒを波長λより小さく設定すると、円弧状の接合部を有する誘電体線路への分岐強度は小さくなる。
【００５４】
このような第１の誘電体線路５３と第２の誘電体線路５８との接合構造、および第２の誘電体線路５８と第４の誘電体線路５７との接合構造、並びに第２の誘電体線路５８と第４の誘電体線路５７との近接配置の構成については、図４の場合も上記と同様である。
【００５５】
そして、これらの各種部品は、ミリ波信号の波長λの２分の１以下の間隔で配置した平行平板導体間に設けられる。
【００５６】
図４のものにおいて、第１の誘電体線路５３の中途にスイッチを設け、それをオン−オフ（ＯＮ−ＯＦＦ）することでパルス変調制御することもできる。例えば、図７に示すような、配線基板８８の一主面に第２のチョーク型バイアス供給線路１１２を形成し、その中途に半田実装されたビームリードタイプのＰＩＮダイオードやショットキーバリアダイオードを設けたスイッチである。なお、図７においてＥは誘電体線路７７内を伝搬する高周波信号の電界方向を示し、１１１はＰＩＮダイオード，ショットキーバリアダイオード等のパルス変調用ダイオードを接続するための接続パッドである。
【００５７】
この配線基板８８を、第１の誘電体線路５３の第２の誘電体線路５８との信号分岐部とサーキュレータ５４との間に、ＰＩＮダイオードやショットキーバリアダイオードのパルス変調用ダイオードのバイアス電圧印加方向がＬＳＭモードの高周波信号の電界方向に合致するように配置し、第１の誘電体線路５３に介在させるものである。また、第１の誘電体線路５３にもう一つのサーキュレータを介在させ、その第１，第３の接続部に第１の誘電体線路５３を接続し、第２の接続部に他の誘電体線路を接続し、その誘電体線路の先端部の端面に、図７のような構成でショットキーバリアダイオードを設けたスイッチを設置してもよい。
【００５８】
図５のものにおいて、サーキュレータ６４をなくし、第１の誘電体線路６３の先端部に送信アンテナ６６を接続した構成とすることもできる。この場合、小型化されたものとなるが、受信波の一部が電圧制御発振部（ミリ波信号発振部）６２に混入しノイズ等の原因となり易いため、図５のタイプが好ましい。
【００５９】
また、図５のタイプにおいて、第２の誘電体線路６８は、第３の誘電体線路６５に一端側が電磁結合するように近接配置されるか第３の誘電体線路６５に一端が接合されて、送信用のミリ波信号の一部をミキサー７１側へ伝搬させるように配置されていてもよい。この構成においても、図５のものと同様の機能および作用効果を有する。
【００６０】
図５のものにおいて、第１の誘電体線路６３の中途に、図７のものと同様に構成したスイッチを設け、それをオン−オフすることでパルス変調制御することもできる。例えば、図７のような、配線基板８８の一主面に第２のチョーク型バイアス供給線路１１２を形成し、その中途に半田実装されたビームリードタイプのＰＩＮダイオードやショットキーバリアダイオードを設けたスイッチである。この配線基板８８を、第１の誘電体線路６３の第２の誘電体線路６８との信号分岐部と、サーキュレータ６４との間に、ＰＩＮダイオードやショットキーバリアダイオードのバイアス電圧印加方向がＬＳＭモードの高周波信号の電界方向に合致するように配置し、第１の誘電体線路６３に介在させるものである。
【００６１】
また、第１の誘電体線路６３にもう一つのサーキュレータを介在させ、その第１，第３の接続部に第１の誘電体線路６３を接続し、第２の接続部に他の誘電体線路を接続し、その誘電体線路の先端部の端面に、図７のような構成のショットキーバリアダイオードを設けたスイッチを設置してもよい。
【００６２】
また、これらのミリ波送受信器において、平行平板導体間の間隔は、ミリ波信号の空気中での波長であって、使用周波数での波長λの２分の１以下となる。
【００６３】
また、図４，図５のミリ波送受信器はＦＭＣＷ（Frequency  Modulation  Continuous  Waves）方式であり、ＦＭＣＷ方式の動作原理は以下のようなものである。電圧制御発振部の変調信号入力用のＭＯＤＩＮ端子に、電圧振幅の時間変化が三角波等となる入力信号を入力し、その出力信号を周波数変調し、電圧制御発振部の出力周波数偏移を三角波等になるように偏移させる。そして、送受信アンテナ５６，送信アンテナ６６より出力信号（送信波）を放射した場合、送受信用アンテナ５６，送信アンテナ６６の前方にターゲットが存在すると、電波の伝搬速度の往復分の時間差をともなって、反射波（受信波）が戻ってくる。この時、ミキサー５９，７１の出力側のＩＦＯＵＴ端子には、送信波と受信波の周波数差が出力される。
【００６４】
このＩＦＯＵＴ端子の出力周波数等の周波数成分を解析することで、Ｆif＝４Ｒ・ｆｍ・Δｆ／ｃ｛Fif：ＩＦ（Intermediate  Frequency）出力周波数，Ｒ：距離，ｆｍ：変調周波数，Δｆ：周波数偏移幅，ｃ：光速｝という関係式から距離を求めることができる。
【００６５】
このように、自動車のミリ波レーダ等に適用した場合、自動車の周囲の障害物および他の自動車に対しミリ波を照射し、反射波を元のミリ波と合成して中間周波信号を得て、この中間周波信号を分析することにより障害物および他の自動車までの距離、それらの移動速度等が測定できる。
【００６６】
本発明のミリ波送受信器における高周波ダイオード発振器を用いた電圧制御発振部５２，６２について以下に説明する。図６，図７は本発明のミリ波送受信器におけるＮＲＤガイド型の高周波ダイオード発振器を示し、これらの図において、７１は一対の平行平板導体、７２はガンダイオード７３を設置（マウント）するための略直方体状の金属ブロック等の金属部材、７３はマイクロ波，ミリ波を発振する高周波ダイオードの１種であるガンダイオード、７４は金属部材７２の一側面に設置され、ガンダイオード７３にバイアス電圧を供給するとともに高周波信号の漏れを防ぐローパスフィルタとして機能するチョーク型バイアス供給線路７４ａを形成した配線基板、７５はチョーク型バイアス供給線路７４ａとガンダイオード７３の上部導体とを接続する金属箔リボン等の帯状導体、７７はガンダイオード７３の近傍に配置され高周波信号を受信し外部へ伝搬させる誘電体線路（第１の誘電体線路５３，６３に相当するもの）である。
【００６７】
また図６において、チョーク型バイアス供給線路７４ａは、幅の広い線路および幅の狭い線路の長さがそれぞれ略λ／４であり、また帯状導体７５の長さは略｛（３／４）＋ｍ｝λ（ｍは０以上の整数）である。この帯状導体７５の長さは略３λ／４〜略｛（３／４）＋３｝λがよく、略｛（３／４）＋３｝λを超えると帯状導体７５が長くなり、撓み、捩じれ等が生じ易くなり、個々の高周波ダイオード発振器間で発振周波数等の特性のばらつきが大きくなるとともに、種々の共振モードが発生して、所望の発振周波数と異なる周波数の信号が発生するという問題が生じる。より好ましくは、略３λ／４，略｛（３／４）＋１｝λである。
【００６８】
また、略｛（３／４）＋ｍ｝λとしたのは、｛（３／４）＋ｍ｝λから多少ずれていても共振は可能だからである。例えば、帯状導体７５を｛（３／４）＋ｍ｝λよりも１０〜２０％程度長く形成してもよく、その場合、帯状導体７５の接するチョーク型バイアス供給線路７４ａの１パターン目の長さλ／４のうち一部が共振に寄与すると考えられるからである。従って、帯状導体７５の長さは｛（３／４）＋ｍ｝λ±２０％程度の範囲内で変化させることができる。
【００６９】
これらチョーク型バイアス供給線路７４ａおよび帯状導体７５の材料は、Ｃｕ，Ａｌ，Ａｕ，Ａｇ，Ｗ，Ｔｉ，Ｎｉ，Ｃｒ，Ｐｄ，Ｐｔ等から成り、特にＣｕ，Ａｇが、電気伝導度が良好であり、損失が小さく、発振出力が大きくなるといった点で好ましい。
【００７０】
また、帯状導体７５は金属部材７２の表面から所定間隔をあけて金属部材７２と電磁結合しており、チョーク型バイアス供給線路７４ａとガンダイオード７３間に架け渡されている。即ち、帯状導体７５の一端はチョーク型バイアス供給線路７４ａの一端に半田付け等により接続され、帯状導体７５の他端はガンダイオード７３の上部導体に半田付け等により接続されており、帯状導体７５の接続部を除く中途部分は宙に浮いた状態となっている。
【００７１】
そして、金属部材７２は、ガンダイオード７３の電気的な接地（アース）を兼ねているため金属導体であればよく、その材料は金属（合金を含む）導体であれば特に限定するものではなく、真鍮（黄銅：Ｃｕ−Ｚｎ合金），Ａｌ，Ｃｕ，ＳＵＳ（ステンレススチール），Ａｇ，Ａｕ，Ｐｔ等から成る。また金属部材７２は、全体が金属から成る金属ブロック、セラミックスやプラスチック等の絶縁基体の表面全体または部分的に金属メッキしたもの、絶縁基体の表面全体または部分的に導電性樹脂材料等をコートしたものであってもよい。
【００７２】
また、誘電体線路７７は、図４，図５の第１の誘電体線路５３，６３に相当するものであり、その材料は上記の通りコーディエライト（２ＭｇＯ・２Ａｌ２Ｏ３・５ＳｉＯ２）セラミックス（比誘電率４〜５）等が好ましく、これらは高周波帯域において低損失である。ガンダイオード７３と誘電体線路７７との間隔は１．０ｍｍ程度以下が好ましく、１．０ｍｍを超えると損失を小さくして電磁的結合が可能な最大離間幅を超える。
【００７３】
また、本発明の高周波ダイオードとしては、インパット（impatt：impact  ionisation  avalanche  transit  time）・ダイオード，トラパット（trapatt：trapped  plasma  avalanche  triggered  transit）・ダイオード，ガンダイオード等のマイクロ波ダイオードおよびミリ波ダイオードが好適に使用される。
【００７４】
図７のスイッチは、バラクタダイオード等の可変容量ダイオードから成る周波数変調用ダイオード１１０を設けたものであり、配線基板８８の一主面に第２のチョーク型バイアス供給線路１１２を形成し、その中途に半田実装された周波数変調用ダイオード１１０を設けたスイッチである。周波数変調用ダイオード１１０に印加するバイアス電圧を制御することによりガンダイオード７３の発振周波数を制御することができる。なお、図７においてＥは誘電体線路７７内を伝搬する高周波信号の電界方向を示し、１１１は周波数変調用ダイオード１１０を接続するための接続パッドである。
【００７５】
【実施例】
本発明の実施例を以下に示す。
【００７６】
（実施例）
図１のＮＲＤガイドＳを以下のように構成した。誘電体線路２の材料として、Ｍｇ，Ａｌ，Ｓｉの複合酸化物を主成分としたセラミックスであって、種々の組成比としたものを作製した。それらの比誘電率と周波数６０ＧＨｚにおけるＱ値を表１に示す。
【００７７】
【表１】
0003600799.tif 000002
【００７８】
一対の平行平板導体１，３として、アルミニウムから成る縦８０ｍｍ×横８０ｍｍ×厚さ２ｍｍの金属板を１．８ｍｍの間隔ｄで配置し、表１のＮＯ．２４のコーディエライトセラミックスからなる誘電体線路２を介装した。この誘電体線路２の断面形状は、高さが約１．８ｍｍ、幅が０．８ｍｍの長方形状であり、２つの誘電体線路部分２ａ，２ｂを距離Ｌずらして配置したものである。このＮＲＤガイドＳについて、周波数特性を測定した結果を図８に示す。同図は、周波数７７ＧＨｚにおけるズレ（距離Ｌ）と伝送損失（｜Ｓ２１｜）との関係を示すものであり、誘電体線路部分２ａ，２ｂの距離Ｌがλ／８以下の場合、誘電体線路２による挿入損失が１ｄＢ以下となった。
【００７９】
なお、本発明は上記実施例に限定されるものではなく、本発明の要旨を逸脱しない範囲内で種々の変更を行うことは何等差し支えない。
【００８０】
【発明の効果】
本発明のＮＲＤガイドによれば、誘電体線路は、複数の誘電体線路部分の端面同士を対向させて構成されているとともに、誘電体線路部分を設置する平行平板導体の部位に誘電体線路部分の幅よりも幅広な溝で誘電体線路部分全体を嵌め込むことができるような溝を形成し、その溝内で誘電体線路部分の設置位置を調整することによって、誘電体線路部分が隣接するものに対してその端面同士が高周波信号の伝送方向に直交し、かつ平行平板導体の内面に平行な方向にλ／８以下の距離を移動可能に設置されていることにより、ＬＳＭモードの電磁波のＬＳＥモードへの変換を少なくすることができ、また、直線部と曲線部からなる複雑形状の誘電体線路を容易に作製することができる。さらに、誘電体線路に急峻な曲線部を設けて小型化できるので、全体を小型化できる。そして、樹脂材料で誘電体線路の支持用ジグや回路基板等を作製し、誘電体線路近傍に配置しても、その影響を受けにくくなる。
【００８１】
また、直線部からなる誘電体線路の組み合わせでも、曲線でなければ描けなかった形状の線路を、接合端面の形状を変更することなく、断続的な直線部の組み合わせで作製することができる。
【００８２】
また、高周波信号の伝送特性を維持した状態で、誘電体線路部分と電磁結合している、高周波ダイオード等の他の部品や他の誘電体線路との間隔を制御できる。これにより、高周波ダイオードの発振周波数を制御したり、他の誘電体線路とのカップリングの度合い等を制御できる。
【００８３】
また好ましくは、誘電体線路は、Ｍｇ，Ａｌ，Ｓｉの複合酸化物を主成分とするセラミックスからなるとともに測定周波数６０ＧＨｚでのＱ値が１０００以上であることにより、従来のアルミナセラミックス等よりも低比誘電率のセラミックスからなる誘電体線路を用いることにより、ＬＳＭモードの電磁波のＬＳＥモードへの変換を少なくでき、高周波信号の損失が抑えられる。
【００８４】
また好ましくは、複合酸化物のモル比組成式がｘＭｇＯ・ｙＡｌ２Ｏ３・ｚＳｉＯ２（但し、ｘ＝１０〜４０モル％，ｙ＝１０〜４０モル％，ｚ＝２０〜８０モル％，ｘ＋ｙ＋ｚ＝１００モル％を満足する）で表されることにより、さらに伝送損失が少なく、かつ安価で高い形状精度の誘電体線路を用いたＮＲＤガイドを作製できる。
【００８５】
本発明のミリ波送受信器は、送受信アンテナを備えたタイプ、および送信アンテナと受信アンテナとが独立したタイプにおいて、各誘電体線路のうち少なくとも一つが、複数の誘電体線路部分からなり、平行平板導体とともに上記本発明の非放射性誘電体線路を構成することにより、誘電体線路を伝搬するＬＳＭモードの電磁波のＬＳＥモードへの変換が少なく、従って誘電体線路に小さい曲率半径で使用周波数範囲が広い急峻な曲線部を作製することができ、その結果、ミリ波送受信器を使用周波数範囲が広く、小型化でき、しかも加工が容易で作製の自由度の高いものとすることができる。
【００８６】
また、高周波ダイオードの発振周波数を制御したり、ミリ波信号の分岐強度や合波混合の度合い等を制御でき、ミリ波送受信器の伝送特性を最も良好な状態に調整したり、異なる周波数帯域で使用可能なように調整することができる。
【００８７】
さらに、送信アンテナと受信アンテナとが独立したタイプでは、送信用のミリ波信号がサーキュレータを介してミキサーへ混入することがなく、その結果、受信信号のノイズが低減し探知距離が増大し、さらにミリ波信号の伝送特性に優れたものとなる。
【図面の簡単な説明】
【図１】本発明のＮＲＤガイドの内部を透視した斜視図である。
【図２】従来のＮＲＤガイドの内部を透視した斜視図である。
【図３】従来の他のＮＲＤガイドの内部を透視した斜視図である。
【図４】本発明のＮＲＤガイドを備えたミリ波レーダーについて実施の形態の例を示す平面図である。
【図５】本発明のＮＲＤガイドを備えたミリ波レーダーについて実施の形態の他の例を示す平面図である。
【図６】本発明のミリ波レーダー用の電圧制御発振部の斜視図である。
【図７】図６の電圧制御発振部に組み込まれる可変容量ダイオードを設けた配線基板の斜視図である。
【図８】本発明のＮＲＤガイドの誘電体線路部分のズレ（距離Ｌ）と高周波信号の減衰量との関係を示すグラフである。
【符号の説明】
１：下側の平行平板導体
２： 誘電体線路
２ａ，２ｂ，２ｃ：誘電体線路部分
３：上側の平行平板導体
【図１】
0003600799.tif 000003
【図２】
0003600799.tif 000004
【図３】
0003600799.tif 000005
【図４】
0003600799.tif 000006
【図５】
0003600799.tif 000007
【図６】
0003600799.tif 000008
【図７】
0003600799.tif 000009
【図８】
0003600799.tif 000010